(57)【要約】  本発明は、残量防止と同時にエアタイト機能を有する化粧品容器に関する。さらに詳細には、容器本体に回転部材を回転可能に結合し、前記回転部材の下側に化粧料誘導管を延長形成して容器本体内側に挿入し、化粧料誘導管の外周縁にネジ山を形成して外側にピストンを螺合することで、前記回転部材の回転によって前記回転部材の化粧料誘導管に螺合されたピストンが下側に移動しながら容器本体に収容された化粧料を化粧料誘導管内側に押し上げ、ブラシ柄が容器本体の下部まで挿入されなくても化粧料が塗布具に付着することができるようにした、残量防止と同時にエアタイト機能を有する化粧品容器に関する。  本発明は、内部に化粧料が収容される容器本体と、前記容器本体に回転可能に結合されて下側に化粧料誘導管が延長形成されて容器本体内側に挿入される回転部材と、前記容器本体を開閉する容器蓋と、前記容器蓋下側に延長形成されて化粧料誘導管に挿入されて端部に塗布具が備えられたブラシ柄と、前記回転部材の化粧料誘導管外周縁に螺合されると同時に外周面が容器本体の内周面に密着されるピストンとを含む、残量防止と同時にエアタイト機能を有する化粧品容器を提供する。
2021531154.tif 000002
【特許請求の範囲】
【請求項１】
内部に化粧料が収容される容器本体と、
前記容器本体に回転可能に結合され、下側に化粧料誘導管が延長形成されて容器本体内側に挿入される回転部材と、
前記容器本体を開閉する容器蓋と、
前記容器蓋下側に延長形成されて化粧料誘導管に挿入され、端部に塗布具が備えられたブラシ柄と、
前記回転部材の化粧料誘導管外周縁に螺合されると同時に、外周面が容器本体の内周面に密着されるピストンと、
を含む、残量防止と同時にエアタイト機能を有する化粧品容器。
【請求項２】
前記容器本体の内周面とピストンの外周面は、多角面体で形成されることを特徴とする、請求項１に記載の残量防止と同時にエアタイト機能を有する化粧品容器。
【請求項３】
前記回転部材は、
入口部と、
前記入口部の下側に延長形成された化粧料誘導管と、
前記化粧料誘導管の外側に一定の間隔で離隔されて下側に延長形成された結合部と、
を含むことを特徴とする、請求項１に記載の残量防止と同時にエアタイト機能を有する化粧品容器。
【請求項４】
前記回転部材の入口部と化粧料誘導管及び結合部は、一体に形成されるか又はそれぞれ分離形成されて互いに結合されることを特徴とする、請求項４に記載の残量防止と同時にエアタイト機能を有する化粧品容器。
【請求項５】
前記回転部材の全体または一部分が回転することによって、
回転部材の化粧料誘導管に螺合されたピストンが下側に移動しながら容器本体の内周面に付着している化粧料を下に刮ぐと同時に、
容器本体に収容された化粧料を化粧料誘導管内側に押し上げることを特徴とする、
請求項１に記載の残量防止と同時にエアタイト機能を有する化粧品容器。
【発明の詳細な説明】
【技術分野】
【０００１】
本発明は、残量防止と同時にエアタイト機能を有する化粧品容器に関する。さらに詳細には、容器本体に回転部材を回転可能に結合し、前記回転部材の下側に化粧料誘導管を延長形成して容器本体内側に挿入し、化粧料誘導管の外周縁にネジ山を形成して外側にピストンを螺合することで、回転部材の回転によって前記回転部材の化粧料誘導管に螺合されたピストンが下側に移動しながら容器本体に収容された化粧料を化粧料誘導管内側に押し上げ、ブラシ柄が容器本体の下部まで挿入されなくても化粧料が塗布具に付着することができるようにした、残量防止と同時にエアタイト機能を有する化粧品容器に関する。
【背景技術】
【０００２】
一般的に、化粧品は、女性が使用するものと考えられてきたが、現代社会では老若男女を問わず自身を装うための用途で化粧品を使用している。
【０００３】
上記化粧品は、化粧料の形態によって、固形化粧品、液状化粧品、ゲル状化粧品に分けることができるが、固形化粧品は、主にコンパクト容器に収容されてパフに付けて使用部位に広げて塗る方式で使用され、液状やゲル状化粧品は、用途に応じて多様な容器に入れられて直接吐出する方式、チューブなどの軟質の材質で絞り出す方式、ポンプを用いて吐出させる方式または容器に入れられた化粧料を塗布具に付けて塗る方式で使用される。
【０００４】
上記のような液状やゲル状化粧品を使用する方式のうち、化粧料を塗布具に付けて塗る方式は、睫毛や唇などの細密な部位の化粧を行う時に主に使用され、前記塗布具は、主に塗布具としてはブラシやチップなどが利用される。
【０００５】
かかる方式で使用される化粧品容器は、化粧料が入れられた容器に螺合される蓋と、前記蓋から下方に延長されたブラシ柄、及びブラシ柄の下端に結合された塗布具からなり、前記蓋を容器に螺合させながら塗布具を容器内部に収納させ、化粧時に前記容器から蓋を分離して前記蓋の塗布具に付いた化粧料を化粧部位に塗布するようになる。
【０００６】
しかし、上記のような従来の化粧品容器は、容器内部にマスカラ液のように粘性の高い化粧料を収容する場合、化粧料が容器の内壁に付着して残るようになり、これにより、化粧料を使いきることができず浪費される問題点があった。また、容器の内壁に残っている化粧料が容器から蓋を分離する度に持続的に外部に露出しながら変質することや、固まって使用できなくなる問題点があった。
【０００７】
かかる問題点を解決するために、図１に示すように、韓国登録特許第１０−１４００１７８号に化粧品容器が開示されたが、前記従来の化粧品容器は、化粧液が収容される本体と、前記本体の上端に密着されて中央部に入出孔が上下に貫通形成された第１パッキング部材と、前記本体の上部外側面に結合されて前記第１パッキング部材の上部を開閉する蓋と、前記蓋の底面中央から長手方向に延長されて前記入出孔を貫通し、端部にブラシが付着したブラシ連結棒、及び前記本体の内側面に密着されて垂直移動し、中央部にブラシ連結棒及びブラシが貫通する貫通孔が形成された第２パッキング部材を含む。
【０００８】
すなわち、前記従来の化粧品容器は、容器から蓋を分離する時、前記容器内部に負圧が発生して外部空気が容器内部に流入しながら前記第２パッキング部材を下側に移動させ、前記第２パッキング部材によって化粧料が下側に集まるようになる構造である。
【０００９】
しかし、前記従来の化粧品容器は、蓋を分離して連結棒及びブラシを引き抜く時、前記連結棒及びブラシが第２パッキング部材の貫通孔を通過するため、前記第２パッキング部材が連結棒及びブラシに係止され上側に共に移動しながら化粧料の上部面から離隔され、これにより、前記第２パッキング部材が化粧料を下側に集める機能を十分に遂行することができなくなる。
【００１０】
また、前記従来の化粧品容器は、容器に蓋を結合する時、連結棒及びブラシが第２パッキング部材を下側に押すようになり、前記第２パッキング部材の上部に化粧料があふれるようになり、化粧品容器を逆さまにした状態で保管または携帯する場合、一部化粧料が第２パッキング部材と連結棒との間の隙間に漏れて容器上部が汚れるだけでなく、あふれたり漏れたりした化粧料が使用できなくなる問題点があった。
【発明の概要】
【発明が解決しようとする課題】
【００１１】
本発明は、上記のような問題点を解決するために案出されたもので、容器本体と前記容器本体を開閉する容器蓋、及び前記容器蓋の下側に延長形成されて端部に塗布具を有するブラシ柄からなる化粧品容器であって、前記容器本体に回転部材を回転可能に結合するが、前記回転部材の下側に化粧料誘導管を延長形成して容器本体内側に挿入し、化粧料誘導管の外周縁にネジ山を形成して外側にピストンを螺合することで、回転部材の回転によって前記回転部材の化粧料誘導管に螺合されたピストンが下側に移動しながら容器本体に収容された化粧料を化粧料誘導管内側に押し上げ、ブラシ柄が容器本体の下部まで挿入されなくても化粧料が塗布具に付着することができるようにした、残量防止と同時にエアタイト機能を有する化粧品容器を提供することに目的がある。
【００１２】
また、本発明は、回転部材の回転によってピストンが容器本体の内周面に密着された状態で容器本体下側に移動しながら容器本体の内周面に付着している化粧料を下に刮ぐようにして、容器本体内に収容された化粧料を残量なく使いきることができるようにした、残量防止と同時にエアタイト機能を有する化粧品容器を提供することに目的がある。
【課題を解決するための手段】
【００１３】
本発明は、内部に化粧料が収容される容器本体と、前記容器本体に回転可能に結合され、下側に化粧料誘導管が延長形成されて容器本体内側に挿入される回転部材と、前記容器本体を開閉する容器蓋と、前記容器蓋下側に延長形成されて化粧料誘導管に挿入され、端部に塗布具が備えられたブラシ柄、及び前記回転部材の化粧料誘導管外周縁に螺合されると同時に、外周面が容器本体の内周面に密着されるピストンを含む残量防止と同時にエアタイト機能を有する化粧品容器を提供する。
【００１４】
また、前記容器本体の内周面とピストンの外周面は、多角面体で形成されてもよい。
【００１５】
また、前記回転部材は、入口部と前記入口部の下側に延長形成された化粧料誘導管及び前記化粧料誘導管の外側に一定の間隔に離隔されて下側に延長形成された結合部からなってもよい。
【００１６】
また、前記回転部材の入口部と化粧料誘導管及び結合部は、一体に形成されるか、又はそれぞれ分離形成されて互いに結合されてもよい。
【００１７】
また、前記回転部材の全体または一部分が回転することによって、回転部材の化粧料誘導管に螺合されたピストンが下側に移動しながら容器本体の内周面に付着している化粧料を下に刮ぐと同時に、容器本体に収容された化粧料を化粧料誘導管内側に押し上げることを特徴とする。
【発明の効果】
【００１８】
本発明に係る残量防止と同時にエアタイト機能を有する化粧品容器は、容器本体と前記容器本体を開閉する容器蓋、及び前記容器蓋の下側に延長形成されて端部に塗布具を有するブラシ柄からなる化粧品容器であって、前記容器本体に回転部材を回転可能に結合するが、前記回転部材の下側に化粧料誘導管を延長形成して容器本体内側に挿入し、化粧料誘導管の外周縁にネジ山を形成して外側にピストンを螺合することで、回転部材の回転によって前記回転部材の化粧料誘導管に螺合されたピストンが下側に移動しながら容器本体に収容された化粧料を化粧料誘導管内側に押し上げ、ブラシ柄が容器本体の下部まで挿入されなくても化粧料が塗布具に付着することができるので、使用が便利な効果がある。
【００１９】
また、本発明に係る残量防止と同時にエアタイト機能を有する化粧品容器は、回転部材の回転によってピストンが容器本体の内周面に密着された状態で容器本体下側に移動しながら容器本体の内周面に付着している化粧料を下に刮ぐようにして、容器本体内に収容された化粧料を残量なく使いきることができる効果がある。
【図面の簡単な説明】
【００２０】
【図１】従来の化粧品容器である。
【図２】本発明の一実施例に係る化粧品容器の斜視図である。
【図３】本発明の一実施例に係る化粧品容器の分解斜視図である。
【図４】本発明の一実施例に係る化粧品容器の断面図である。
【図５】本発明の一実施例に係る化粧品容器の容器本体から容器蓋を分離する形態を示す断面図である。
【図６】本発明の一実施例に係る化粧品容器の回転部材を回転させてピストンを下側に移動させる様子を示す断面図である。
【図７】本発明の一実施例に係る化粧品容器のブラシ柄を化粧料誘導管に挿入する様子を示す断面図である。
【図８】本発明の一実施例に係る化粧品容器の容器蓋を容器本体に結合する様子を示す断面図である。
【図９】本発明の一実施例に係る化粧品容器の容器蓋を回転させてピストンを下側に移動させる様子を示す断面図である。
【図１０】本発明の他の実施例に係る化粧品容器の断面図である。
【図１１】本発明のその他の実施例に係る化粧品容器の分解斜視図である。
【図１２】本発明のその他の実施例に係る化粧品容器の断面図である。
【発明を実施するための形態】
【００２１】
本発明と本発明の実施によって達成される技術的課題は、以下で説明する好ましい実施例によって明確にされる。
【００２２】
以下、添付の図面を参照して本発明に係る残量防止と同時にエアタイト機能を有する化粧品容器の一実施例を詳しく考察すると、次のとおりである。
【００２３】
図２は本発明の一実施例に係る化粧品容器の斜視図であり、図３は本発明の一実施例に係る化粧品容器の分解斜視図であり、図４は本発明の一実施例に係る化粧品容器の断面図である。
【００２４】
本発明は、内部に化粧料が収容される容器本体１０と、前記容器本体１０に回転可能に結合され、下側に化粧料誘導管２２が延長形成されて容器本体１０内側に挿入される回転部材２０と、前記容器本体１０を開閉する容器蓋３０と、前記容器蓋３０下側に延長形成されて化粧料誘導管２２に挿入され、端部に塗布具４４が備えられたブラシ柄４０、及び前記回転部材２０の化粧料誘導管２２外周縁に螺合されると同時に、外周面が容器本体１０の内周面に密着されるピストン５０を含んで構成されてもよい。
【００２５】
前記容器本体１０の内部には液状またはゲル状化粧料が収容され、特にマスカラのように高い粘性を有する化粧料が収容されてもよい。前記容器本体１０は、上部が開放した円筒形態で形成され、前記開放した部分を介して化粧料が充填される。
【００２６】
前記容器本体１０の内周面は、図３の部分拡大図に示すように、多角面体で形成される。これは回転部材２０の化粧料誘導管２２が回転する時、前記化粧料誘導管２２に螺合されたピストン５０が共に回転せず、垂直に移動できるようにするためである。もちろん、前記容器本体１０の内周面が多角面体でなく円筒形態で形成され、前記容器本体１０の内周面とピストン５０の外周面にそれぞれ垂直凹部と垂直突起が形成されて嵌合されるようにすることで、前記ピストン５０が化粧料誘導管２２と共に回転しないようにしてもよい。
【００２７】
図４に示すように、前記容器本体１０の内周面には内側垂直面１１と前記垂直面１１の下側に容器本体１０の中心部に向かって傾斜した曲面状の内側曲面１２が形成されてもよい。前記内側垂直面１１区間ではピストン５０が容器本体１０の下側に移動し、前記ピストン５０が内側垂直面１１区間を通過して内側曲面１２区間に進入するとピストン５０の外径よりも容器本体１０の内径がさらに小さくなり、前記ピストン５０がこれ以上容器本体１０の下側に移動しなくなる。
【００２８】
前記容器本体１０の上部外周縁には結合突輪１４が形成されて回転部材２０と回転可能に結合され、前記結合突輪１４の下部には着座段１６が形成されて回転部材２０の下端が着座される。
【００２９】
前記回転部材２０は、図４に示すように、容器本体１０の開放した上部に回転可能に結合される。
【００３０】
前記回転部材２０は、入口部２１と前記入口部２１の下側に延長形成された化粧料誘導管２２及び前記化粧料誘導管２２の外側に一定の間隔に離隔されて下側に延長形成された結合部２３を含んでもよい。
【００３１】
前記入口部２１は、ブラシ柄４０が挿入または引出される出口の役割をし、前記入口部２１の内周縁は、回転部材２０の中心部に向かって傾斜した形状で形成され、前記入口部２１に付着した化粧料が容器本体１０内部に容易に流入できるようになる。そして、前記入口部２１の外周縁にはネジ山が形成されてブラシ柄４０の上部と螺合される。
【００３２】
また、前記ブラシ柄４０の上部外周縁、すなわち、締結部４２の内壁４２１外周縁の形状を回転部材２０の入口部２１と対応するように形成して互いに密着されるようにすることで、容器本体１０の密閉力を強化することができる。そして、前記入口部２１の内側または入口部２１と隣接した化粧料誘導管２２内側にはワイパー（未図示）が形成され、ブラシ柄４０が容器本体１０から引き抜かれた時、前記ブラシ柄４０の外周縁及び前記ブラシ柄４０の塗布部４４外周縁に付着した内容物をしごくことができる。
【００３３】
前記化粧料誘導管２２は、容器本体１０の開放した部分を介して容器本体１０の内側に挿入される。前記化粧料誘導管２２の内側にはブラシ柄４０が挿入されるブラシ柄の挿入空間２２ａが形成され、外周縁にはネジ山が形成されてピストン５０が螺合される。前記化粧料誘導管２２は、合成樹脂（ｓｙｎｔｈｅｔｉｃ  ｒｅｓｉｎｅ）または金属（ｍｅｔａｌ）など多様な材質で形成され得るが、特に熱可塑性重合体の一つであるポリケトン（Ｐｏｌｙｋｅｔｏｎｅ）材質で形成されてもよい。
【００３４】
前記結合部２３は、容器本体の上部外周縁に回転可能に結合されるが、前記結合部２３の内周縁に結合凹部２３ａが形成されて容器本体１０の結合突輪１４と結合される。この時、前記結合部２３の下端は、容器本体１０の着座段１６に着座される。
【００３５】
前記化粧料誘導管２２と結合部２３との間には円形リング状の密閉パッキング６０が形成されてもよい。前記密閉パッキング６０は、容器本体１０の上端に密着されて前記容器本体１０を密閉するようになる。また、前記容器本体１０の着座段１６上部には密閉リング７０がさらに形成されてもよく、前記密閉リング７０は、容器本体１０の上部外周縁と回転部材２０の結合部２３との間に嵌められて容器本体１０内部をさらに密閉させるようになる。そして、前記密閉パッキング６０と密閉リング７０は、容器本体１０内部の密閉力向上のために軟質の材質で形成されることが好ましい。
【００３６】
図１０ないし図１２は本発明の他の実施例とその他の実施例に係る化粧品容器の図面であって、これを参照して本発明の他の実施例とその他の実施例に係る化粧品容器について説明する。
【００３７】
まず、図１０は本発明の他の実施例に係る化粧品容器の断面図であり、図１１は本発明のその他の実施例に係る化粧品容器の分解斜視図であり、図１２は本発明のその他の実施例に係る化粧品容器の断面図である。
【００３８】
本発明の他の実施例に係る化粧品容器は、化粧料誘導管２２が図４に示すように、塗布具４４を除くブラシ柄４０部分を覆うように形成されるのではなく、図１０に示すように、前記化粧料誘導管２２の長さを下側にさらに延長して塗布具４４を含むブラシ柄４０の下部全体を覆うように形成されてもよい。
【００３９】
また、本発明のその他の実施例に係る化粧品容器は、図１１に示すように、回転部材２０が２つ以上の部品に分離形成されて互いに結合されてもよい。
【００４０】
すなわち、回転部材２０の入口部２１と化粧料誘導管２２が回転部材２０の長手方向に沿って一体形成され、前記回転部材２０の結合部２３が別途分離形成されて前記入口部２１の外側に結合されてもよい。
【００４１】
この時、前記回転部材２０の入口部２１外周縁には密閉突輪２１ａが外側に突出形成されるが、図１２に示すように、前記密閉突輪２１ａの少なくとも一部分が容器本体１０の上部内周縁に嵌められながら容器本体１０の上端を覆って前記容器本体１内部を密閉させるようになる。また、前記密閉突輪２１ａの外周縁に密閉リング７０が形成されて容器本体１０の上部内周縁に密着され、ブラシ柄４０の上部内側に密閉パッキング６０が形成されて回転部材２０の入口部２１上端に密着されることによって、容器本体１０内部の密閉力をより向上させることができる。
【００４２】
そして、前記回転部材２０の結合部２３内周縁には容器本体１０の結合突輪１４と結合される結合凹部２３ａが形成され、中央には入口部２１が貫通する貫通孔２３ｂが形成される。前記回転部材２０と容器本体１０の結合時、前記回転部材２０の結合部２３下端は、容器本体１０の着座段１６に着座され、これと同時に前記結合部２３の上側枠部分が入口部２１の密閉突輪２１ａ上端を押して前記入口部２１と化粧料誘導管２２が容器本体１０から離脱することを防ぐようになる。
【００４３】
ここで、前記回転部材２０の入口部２１が結合部２３を貫通しながら結合するにあたり、前記入口部２１と結合部２３が固定結合されて共に回転してもよく、結合部２３は固定され、入口部２１のみ回転してもよい。さらに詳しく説明すると、図１１に示すように、前記入口部２１の外周縁と結合部２３の内周縁にそれぞれ回転防止突起２１ｃ及び回転防止凹部２３ｃが形成されて互いに空転せず共に回転してもよく、前記入口部２１と結合部２３が回転防止構造なしで結合され、前記結合部２３は回転せずに下側に化粧料誘導管２２が一体形成された入口部２１のみ別途回転してもよい。
【００４４】
前記容器蓋３０は、容器本体１０を開閉し、化粧時に持ち手の役割をするようになる。図３に示すように、前記容器蓋３０の下部内周縁には締結凹部３１と回転防止凹部３３が形成されてもよい。
【００４５】
前記ブラシ柄４０は、容器蓋３０の下部に結合されて容器蓋３０の下側に延長形成され、回転部材２０の化粧料誘導管２２に挿入される。
【００４６】
前記ブラシ柄４０の上部には図４に示すように、締結部４２が形成されるが、前記締結部４２は、内壁４２１と前記内壁４２１の上部外側に延長形成された連結片４２２及び前記連結片４２２から下側に延長形成された下部延長突輪４２３から構成される。前記内壁４２１の外周縁は、ブラシ柄４０の中心部に向かって傾斜した形状で形成されて回転部材２０の入口部２１に密着され、前記下部延長突輪４２３の内周縁にはネジ山が形成され、回転部材２０の入口部２１外周縁に形成されたネジ山と螺合される。本発明の図面では回転部材２０とブラシ柄４０が螺合によって着脱されるものを図示したが、これに限定されず、アンダーカット結合、スライド結合、磁石と磁性体による結合など多様な方式の結合構造を有してもよい。
【００４７】
また、前記ブラシ柄４０の締結部４２外周縁には締結突起４１が形成されて容器蓋３０の締結凹部３１と結合され、回転防止突起４３が形成されて容器蓋３０の回転防止凹部３３に嵌められる。したがって、前記ブラシ柄４０が容器蓋３０から離脱しないと同時に空転せずに固定結合される。
【００４８】
前記ブラシ柄４０の一側端部には容器本体１０に収容された化粧料を付けて化粧部位に塗るのに用いられる塗布具４４が結合される。前記塗布具４４は、図３に示すように、マスカラブラシで形成されてもよく、また化粧をしようとする部位または目的に応じてマスカラブラシ以外に多様な形態に変更されてもよい。
【００４９】
前記ピストン５０は、容器本体１０の内部を密閉させるエアタイト（Ａｉｒｔｉｇｈｔ）機能をするようになる。図４に示すように、前記ピストン５０は、回転部材２０の化粧料誘導管２２外周縁に螺合されて前記回転部材２０の回転によって容器本体１０内部で下側に移動する。
【００５０】
前記ピストン５０の中央には化粧料誘導管２２が貫通する誘導管貫通孔５２が形成され、外周面は、容器本体１０の内周面に密着される。前記ピストン５０の外周面は、図３に示すように、容器本体１０の内周面と対応する多角面体で形成されてもよい。すなわち、上で説明したように、容器本体１０の内周面が多角面体でない円形態で形成される場合、ピストン５０の外周面も円形態で形成され、前記容器本体１０の内周面とピストン５０の外周面にそれぞれ垂直凹部と垂直突起が形成されて嵌合されるようにすることで、前記ピストン５０が化粧料誘導管２２と共に回転せずに垂直に移動できる。
【００５１】
前記ピストン５０の内側には弾性空間５４が形成されることができ、前記弾性空間５４は、ピストン５０が容器本体１０の内周面に弾力的に密着されることができるようにするためである。
【００５２】
また、前記ピストン５０は、熱可塑性弾性体（ＴＰＥ；ｔｈｅｒｍｏｐｌａｓｔｉｃ  ｅｌａｓｔｏｍｅｒ）、低密度ポリエチレン（ＬＤＰＥ；ｌｏｗ  ｄｅｎｓｉｔｙ  ｐｏｌｙｅｔｈｙｌｅｎｅ）、合成高分子（ｓｙｎｔｈｅｔｉｃ  ｐｏｌｙｍｅｒ）、ゴム（ｒｕｂｂｅｒ）、シリコーン（ｓｉｌｉｃｏｎｅ）のうちいずれか１つ以上の材質または弾性を有するポリプロピレン（ｐｏｌｙｐｒｏｐｙｌｅｎｅ）またはポリエチレン（ｐｏｌｙｅｔｈｙｌｅｎｅ）材質で形成されることが好ましい。もちろん、前記ピストン５０は、上述した材質に限定されるものではなく、一定の弾性を有する範囲内で多様な材質で形成されてもよい。
【００５３】
そして、前記ピストン５０の外周面には少なくとも１つ以上の密閉リング挿入凹部５６が形成され、前記密閉リング挿入凹部５６にピストン密閉リング５８が嵌められてもよい。前記ピストン密閉リング５８を介してピストン５０の外周面と容器本体１０内周面との間に化粧料が漏れることを防ぐことができるようになる。ここで、前記ピストン密閉リング５８は、ピストン５０の外周面と対応する形状で形成されることが好ましい。
【００５４】
上記で考察したように、本発明は容器本体１０の内側に化粧料誘導管２２を形成し、前記化粧料誘導管２２の外周縁にピストン５０を螺合して回転部材２０の回転によって前記ピストン５０が下側に移動しながら化粧料を容器本体１０下部に押し出すようにすることで、化粧料の残量を防止することができるようにしたことはもちろん、エアタイト機能を有する化粧品容器の使用性を向上させた。
【００５５】
すなわち、従来の化粧品容器は、容器内部にマスカラ化粧料のように粘性の高い化粧料を収容する場合、化粧料が容器の内壁に付着して残るようになり、これにより、化粧料を使いきることができず浪費され、また容器内部に収容された化粧料がほぼ消尽した時にはブラシ柄及び塗布具を前記容器の内側底まで挿入しなければ塗布具に化粧料を付着することができず、使用が不便な問題があった。
【００５６】
かかる問題を解決するために、本発明の一実施例に係る化粧品容器は、容器本体１０に回転部材２０を回転可能に結合するが、前記回転部材２０の下側に化粧料誘導管２２を延長形成して容器本体１０内側に挿入し、前記化粧料誘導管２２の外周縁にピストン５０を螺合し、前記ピストン５０の外周面を容器本体１０の内周面に密着させることで、回転部材２０の回転によって前記回転部材２０の化粧料誘導管２２に螺合されたピストン５０が下側に移動しながら容器本体１０の内周面に付着している化粧料を下に刮ぐと同時に、容器本体１０に収容された化粧料を化粧料誘導管２２内側に押し上げるようにした。したがって、本発明は使用者がブラシ柄４０を容器本体１０の底部分まで挿入しなくても化粧料を塗布具全体に均等に付着することができるため使用が便利であり、また容器本体１０の内壁に付着されて残っている化粧料を残量なく使いきることができるようになる。
【００５７】
上記のように構成された本発明の実施例に係る、残量防止と同時にエアタイト機能を有する化粧品容器の組立方法を詳しく説明すると、次のとおりである。
【００５８】
本発明に係る化粧品容器を組み立てるためには、まず図３と図４に示すように、容器本体１０の開放した部分を介して前記容器本体１０の内側に化粧料を充填する。
【００５９】
次に、前記容器本体１０に回転部材２０を結合する前に、前記回転部材２０の化粧料誘導管２２と結合部２３との間に密閉パッキング７０を挿着し、前記化粧料誘導管２２の外周縁にピストン５０を螺合して化粧料誘導管２２の上部まで移動させる。
【００６０】
次に、前記容器本体１０の上部外周縁に密閉リング７０を嵌め、前記回転部材２０を容器本体１０の上部に回転可能に結合するが、前記容器本体１０の外周縁に形成された結合突輪１４と回転部材２０の結合部２３内周面に形成された結合凹部２３ａを結合する。
【００６１】
一方、図１１と図１２に示すように、回転部材２０の入口部２１及び化粧料誘導管２２と結合部２３が別途分離形成された場合には、前記入口部２１の密閉突輪２１ａ外側に密閉リング７０を嵌め、前記結合部２３の貫通孔２３ｂに入口部２１を貫通させた状態で前記化粧料誘導管２２の外周縁にピストン５０を螺合して化粧料誘導管２２の上部まで移動させた後、前記結合部２３を容器本体１０に回転可能に結合する。
【００６２】
次に、容器蓋３０の下部にブラシ柄４０を結合するが、前記ブラシ柄４０の締結部４２外周縁に形成された締結突起４１と回転防止突起４３を容器蓋３０の下部内周縁に形成された締結凹部３１と回転防止凹部３３にそれぞれ結合する。この時、前記ブラシ柄４０の下端には塗布具４４が結合されている状態である。
【００６３】
次に、前記容器蓋３０の下側に延長形成されたブラシ柄４０を回転部材２０の化粧料誘導管２２に挿入させながらブラシ柄４０と回転部材２０が螺合されるようにして本発明に係る残量防止と同時にエアタイト機能を有する化粧品容器の組立を完了する。
【００６４】
上記のように組み立てられた残量防止と同時にエアタイト機能を有する化粧品容器の使用方法について図面を参照して詳しく説明すると、次のとおりである。
【００６５】
図５は本発明の一実施例に係る化粧品容器の容器本体から容器蓋を分離する様子を示す断面図であり、図６は本発明の一実施例に係る化粧品容器の回転部材を回転させてピストンを下側に移動させる様子を示す断面図であり、図７は本発明の一実施例に係る化粧品容器のブラシ柄を化粧料誘導管に挿入する様子を示す断面図であり、図８は本発明の一実施例に係る化粧品容器の容器蓋を容器本体に結合する様子を示す断面図であり、図９は本発明の一実施例に係る化粧品容器の容器蓋を回転させてピストンを下側に移動させる様子を示す断面図である。
【００６６】
本発明に係る化粧品容器を使用するためには、まず片方の手で容器本体１０を握り、もう片方の手で容器蓋３０を回転させ、図５に示すように、前記容器蓋３０を容器本体１０から分離する。
【００６７】
その後、前記容器蓋３０の一側端部に結合された塗布具４４を、化粧しようとする部位に当て、前記塗布具４４に付着している化粧料で化粧をする。
【００６８】
その後、前記塗布具４４に化粧料をさらにつけて使用する場合、図６に示すように、回転部材２０の全体または回転部材２０の一部構成、すなわち、入口部２１を回転させると前記回転部材２０の化粧料誘導管２２に螺合されたピストン５０が下側に移動しながら容器本体１０の内周面に付着している化粧料を下に刮ぐと同時に、容器本体１０に収容された化粧料を化粧料誘導管２２内側に押し上げるようになる。
【００６９】
その後、図７に示すように、前記化粧料誘導管２２にブラシ柄４０を挿入して塗布具４４に化粧料を付着するようになるが、この時に前記ブラシ柄４０の塗布具４４を容器本体１０の底部分まで挿入しなくても前記塗布具４４に化粧料が付着するようになる。
【００７０】
化粧の終了後は、前記容器蓋３０の下部に結合されたブラシ柄４０を回転部材２０の化粧料誘導管２２内側に挿入し、図８に示すように、前記容器蓋３０を回転させて閉める。
【００７１】
連続して、前記容器蓋３０をさらに回転させると、図９に示すように、前記容器蓋３０によって回転部材２０全体または回転部材２０の一部分、すなわち、入口部２１及び化粧料誘導管２２が回転することによって、前記化粧料誘導管２２に螺合されたピストン５０が下側に移動しながら容器本体１０の内周面に付着している化粧料を下に刮ぎ、これと同時に容器本体１０に収容された化粧料を化粧料誘導管２２内側に押し上げるようになる。この時、前記回転部材２０の化粧料誘導管２２内側にある空気が漸次圧縮されながら、かかる空気の圧力によって前記回転部材２０が一定の区間回転し、それ以上は回転しなくなる。
【００７２】
以上、本発明で説明したことは、残量防止と同時にエアタイト機能を有する化粧品容器を実施するための一つの実施例に過ぎず、本発明は前記実施例に限定されるものではない。添付の請求の範囲で請求するように本発明の要旨を逸脱せずに当該発明が属する分野で通常の知識を有する者であれば誰でも多様な変更実施が可能な範囲まで本発明の範囲に属するものとみなさなければならない。
【符号の説明】
【００７３】
１０  容器本体
２０  回転部材
２１  入口部
２２  化粧料誘導管
２３  結合部
３０  容器蓋
４０  ブラシ柄
４４  塗布具
５０  ピストン
５８  ピストン密閉リング
６０  密閉パッキング
７０  密閉リング
【図１】
2021531154.tif 000003
【図２】
2021531154.tif 000004
【図３】
2021531154.tif 000005
【図４】
2021531154.tif 000006
【図５】
2021531154.tif 000007
【図６】
2021531154.tif 000008
【図７】
2021531154.tif 000009
【図８】
2021531154.tif 000010
【図９】
2021531154.tif 000011
【図１０】
2021531154.tif 000012
【図１１】
2021531154.tif 000013
【図１２】
2021531154.tif 000014
【国際調査報告】
2021531154.tif 000015
2021531154.tif 000016
2021531154.tif 000017
2021531154.tif 000018